(57)【要約】【課題】任意の月間の表示が簡単に出来、時系列的にスケジュールの判断、管理が的確に行える。又カレンダーやスケジュールがバラバラにならず保管しやすく、使用後も日記的スケジュールカレンダーとして貴重なデータとなる回転式スケジュールカレンダーを提供する。【解決手段】回転式スケジュールカレンダーは必要月間（普通は１年間）の月を順次つないで最後はリング状につないであり、それを任意の期間で折り曲げて表示するカレンダーである。折り込み方を変える事により簡単に任意の月間表示（普通は１から６ヶ月間の６種類）が可能となる。又、バラバラにならない為、日記的スケジュールカレンダーとして簡単に保管出来る。取り付け用の穴は各月カレンダー上下同じ場所に１から数カ所開いているので、折り込みポジション、折り込み回数にかかわらず連続しており壁面などへ簡単に、取り付け金具などで取り付けられます。【選択図】図２
2007152922.tif 000002
【特許請求の範囲】
【請求項１】
カレンダーを月順にリング状につなぎ、各月の上下同じポイントに穴をあけ穴に連続性（各月で折り曲げた時）を持たせ、任意の期間でカレンダーやスケジュールを折り込み、壁面などに吊り下げる事が出来る様にする。あるいはクリップなどではさんで貼り付ける。これにより任意の期間を見る事が出来たり、スケジュール他を書き込めるカレンダーとする。
【発明の詳細な説明】
【発明の詳細な説明】
【技術分野】
【０００１】この発明はカレンダーやスケジュールなどが、より便利に任意に可変出来る一定月間見る事が出来、又それを簡単に保管出来るようにする事に関するものである。
【背景技術】
【０００２】従来のカレンダーやスケジュールカレンダーは１ヶ月ごとの月めくりカレンーダー、あるいは１年間１２ヶ月の１枚もののカレンダーがほとんどである。
【発明が解決しようとする課題】
【０００３】これは次のような欠点があった。
（イ）従来のカレンダーは先月あるいは来月を見ようとするとカレンダーを前後にめくらなくてはならない。
先月の場合は捨ててしまっている場合も多い。
（ロ）表示されている月のスケジュールはわかるが前後の月が視覚的に見えないので月間の時系列がわかりにくい。
（ハ）バラバラになる物が多く保管がしにくい。
本発明はこれらの欠点を除くためのものである。
【課題を解決するための手段】
【０００４】カレンダーを必要期間（普通は１年間）をリング状（図１）につなげた状態で製作し、月（期間）ごとに折れ目を入れたり、各月を裏面からセロテープ類で連結するなどして折れ曲がる様にする。と同時にその上下に吊り下げ用フック穴を同じ位置に開けて、折り曲げても穴が連続する様にしておき取り付け金物などを差し込み吊り下げる。あるいはクリップなどで挟み壁などに吊り下げる。本発明は以上の構成よりなる回転式スケジュールカレンダーである。
【発明を実施するための最良の形態】
【０００５】以下、本発明の実施の形態について説明する。
この回転式スケジュールカレンダーは時系列的に表示したい期間、時期を設定し折り曲げて表示する。
普通１年間カレンダーであればリング状のもの（図１）を真っ直ぐのばしそのままフック穴、クリップなどを利用し表示すれば表６ヶ月、裏６ヶ月となり（図２−イ）
半年間スケジュールカレンダーとなる。さらにこれを半分に折って二つ折りにすると３ヶ月カレンダー（図２−ロ）となる。
その上か下半分を折れば２ヶ月カレンダー
さらに上か下を折り込めば１ヶ月表示カレンダーとなる。
表示したい月間などは折込ポイントを変えることにより自由に簡単に変更できる（図３）。
【発明の効果】
【０００６】時系列的に表示したい時期と期間が自由に表示出来る事。
３ヶ月スケジュールカレンダーであればたとえば、現在の月を真中にその上が先月のカレンダー、その下が来月のカレンダーとなり非常にスケジュール管理が視覚的にも簡単、正確となる。
１ヶ月分カレンダーを回転させてずらせば次の３ヶ月表示となる。
各月がつながつているためバラバラにならず使用済みとなったら折りたたんだり、小さく巻き込んでヒモゴム輪などで止めたりして簡単に場所も取らず保管出来る。
これが非常に貴重な年間スケジュールデータ（日記的）となり１年後であれば本年度以降のスケジュール管理に非常に役立つこととなる。
又、同じようにすれば写真カレンダー、各種スケジュール表、工程表なども自分の任意の月間（全１２ヶ月であれば１から６ヶ月間の６種）あるいは期間を表示出来る。
【図１】
2007152922.tif 000003
【図２】
2007152922.tif 000004
【図３】
2007152922.tif 000005
【手続補正書】
【提出日】平成18年5月18日(2006.5.18)
【手続補正１】
【補正対象書類名】明細書
【補正対象項目名】全文
【補正方法】変更
【補正の内容】
【発明の詳細な説明】
【技術分野】
【０００１】この発明はスケジュールなどが、より便利に任意に表示出来又簡単に保管出来るようにしたカレンダーに関するものである。
【背景技術】
【０００２】従来のカレンダーやスケジュールカレンダーは１ヶ月ごとの月めくりカレンダー、あるいは１年間１２ヶ月の１枚もののカレンダーがほとんどである。
【発明が解決しようとする課題】
【０００３】これは次のような欠点があった。
（イ）従来のカレンダーは先月あるいは来月を見ようとするとカレンダーを前後にめくらなくてはならない。
先月の場合は捨ててしまっている場合も多い。
（ロ）表示されている月のスケジュールはわかるが前後の月が視覚的に見えないので月間の時系列がわかりにくい。
（ハ）複数月にかけて連続した写真や図形を表示できない。
（ニ）バラバラになる物が多く保管がしにくい。
本発明はこれらの欠点を除くためのものである。
【課題を解決するための手段】
【０００４】カレンダーを必要期間（普通は１年間）を月順にリング状（環状）につなげた状態で製作し、各月ごとに折れ目を入れたり、各月を裏面からセロテープ類で連結するなどして折れ曲がる様にする。と同時に各月カレンダー上下に吊り下げ用フック穴を同じ位置に開けて、折り曲げても穴が連続、挿通する様にしておき、取り付け金物などを差し込み吊り下げる。あるいはクリップなどで挟み壁などに吊り下げる。折り込み方により多様な月間表示を行う。本発明は以上の構成よりなるカレンダーである。
【発明を実施するための最良の形態】
【０００５】以下、本発明の実施の形態について説明する。
図１はこの回転式スケジュールカレンダーの原型を示し、所要の月数分を環状に形成している。
時系列的に表示したい期間、時期を設定し必要な部分が表示出来るよう折り目３を選択折り曲げる。
普通１年間カレンダーであれは゛図１を真っ直ぐのばし上下２っの折り目３を選択そのままフック穴２を利用し壁などに吊り下げ表示したりクリップなどを利用し吊り下げ表示すれば、図２の左図に示す様な表６ヶ月、裏６ヶ月となり半年間（６ヶ月間）表示カレンダーとなる。
さらにこれを半分に折って二つ折りにすると図２の右図の様な３ヶ月間表示カレンダーとなる。
その上１ヶ月分を折り込めば２ヶ月間表示カレンダーさらに上か下を折り込めば１ヶ月間表示カレンダーとなる。
図３の左の折り方をすれば４ヶ月間表示カレンダー、図３の右の折り方をすれば５ヶ月間表示カレンダーとなる。
昨年１２月と来年１月を含んだ１４ヶ月カレンダーの場合は本年度の１月の前に前年度の１２月を、本年度の１２月の次に来年度の１月を配置し、この１４ヶ月を図１の様にリング状（環状）につなぐ。この１４ヶ月カレンダーの３ヶ月間表示の場合はまずこのカレンダーを真っ直ぐに伸ばし７ヶ月間カレンダーを作り、下を３ヶ月裏に折り込み４ヶ月間カレンダーを表示する。つぎに上の１ヶ月を裏に折り込み３ヶ月間表示とし、フック穴２を利用し壁などに吊り下げ表示する。あるいはクリップなどて吊り下げ表示する。
すべてのカレンダーの次の月の月間表示は１ヶ月分カレンダーを回転させて同じ動作を行い表示する。【０００６】たとえば１番上が１月の場合の３ヶ月間カレンダーは１月、２月、３月の３ヶ月間表示のカレンダーとなる。取り付け用のフツク穴２は連続して同じ場所に設けていているので、折り目３の位置を変えて月間表示を変更したり、月表示を変更してもフック穴は連続して挿通しているので取り付け金物などが差し込める。（図１、２、３は２００８年の例）表示可能月間は全１２ヶ月の場合は１ヶ月間から６ヶ月間の６種、全１４ヶ月の場合は１ヶ月間から７ヶ月間の７種の月間表示が可能である【０００７】各月のカレンダーの上下同じ場所にフック穴２を開けておき、折り曲げても穴が連続して挿通出来る様にする。
このフック穴２は通常上下各２ケで良いが、カレンダーの大きさ他に合わせて１ケ所から数ケ所設けて良い。又クリップでカレンダー上部を挟んで吊り下げたり貼り付けたりして表示する場合はフック穴は無くても良い。
【発明の効果】
【０００８】時系列的に表示したい時期と期間（全１２ヶ月であれは゛１ヶ月間から６ヶ月間の６種、全１４ヶ月であれば１ヶ月間から７ヶ月間の７種）が自由に表示出来る事。
３ヶ月間表示カレンダーであればたとえば、現在の月を真中にその上が先月のカレンダー、その下が来月のカレンダーとなり非常にスケジュール管理が視覚的にも簡単、正確となる。
１ヶ月分カレンダーを回転させてずらせは゛次の３ヶ月間表示となる。
年を前後に越えての１４ヶ月カレンダーも可能である。
各月がつながつているためバラバラにならず使用済みとなったら折りたたんだり、小さく巻き込んでヒモゴム輪などで止めたりして簡単に場所も取らず保管出来る。
これが非常に貴重な年間スケジュールデータ（日記的）となり本年度以降のスケジュール管理に非常に役立つこととなる。
又、同じようにすれば写真や図柄カレンダー、なども自分の任意の月間（全１２ヶ月であれは゛１ヶ月間から６ヶ月間の６種、全１４ヶ月であれば１ヶ月間から７ヶ月間の７種）を表示出来、複数月にかけて連続した写真や図柄なども多彩に表示可能である。
【図面の簡単な説明】
【０００９】
【図１】回転式スケジュールカレダーの原型図
【図２】回転式スケジュールカレンダーを使用する際の事例その１の図
【図３】回転式スケジュールカレンダーを使用する際の事例その２の図
【符号の説明】
【００１０】１、カレンダー本体
２、フック穴
３、折り目
【手続補正２】
【補正対象書類名】図面
【補正対象項目名】全図
【補正方法】変更
【補正の内容】
【図１】
2007152922.tif 000006
【図２】
2007152922.tif 000007
【図３】
2007152922.tif 000008